【手続補正書】
【提出日】平成16年4月23日(2004.4.23)
【手続補正１】
【補正対象書類名】明細書
【補正対象項目名】０００７
【補正方法】変更
【補正の内容】
【０００７】
また、プリントの作成時には、一般的に、オペレータによる画像のチェック、いわゆる検定が行われる。
検定は、画像処理条件を設定した後に、設定した画像処理条件でプレスキャン画像（データ）を処理して、シミュレーション画像としてディスプレイに表示して行われる。オペレータは、このシミュレーション画像を見て、必要に応じて色／濃度調整等を行い、これに応じて画像処理条件が調整される。


【手続補正２】
【補正対象書類名】明細書
【補正対象項目名】００２４
【補正方法】変更
【補正の内容】
【００２４】
本発明の読取方法を実施するスキャナ１２においては、例えば、矢印ｂ方向にフィルムＦを走査搬送して、各コマの画像読取を順次行い、得られた画像データを記憶すると共に、この画像データから各コマの画像処理条件を順次設定し、検定を行う場合には、設定した画像処理条件で処理した画像（データ）をシミュレーション画像としてディスプレイに表示して検定を行い、検定を終了したら、記憶した画像データを対応する画像処理条件で処理して、記録用の画像データとして出力する。図示例においては、６コマを１つの単位として、画像処理および検定を６コマ単位で行い、また、画像データの出力は、全コマの検定を終了した後に行う。この点に関しては、後に詳述する。


【手続補正３】
【補正対象書類名】明細書
【補正対象項目名】００３０
【補正方法】変更
【補正の内容】
【００３０】
ランプドライバ８０は、マイクロプロセッサ７２からの指示に応じて光源３６を点消灯させる。
他方、モータドライバ８２には、可変絞り４８の板材４８Ａおよび４８Ｂをスライド移動させ絞り値を調整する絞り駆動モータ８６Ｍ；  可変絞り４８の板材４８Ａおよび４８Ｂの位置（絞り値）を検出する絞り位置センサ８６Ｓ；  読取部３０を収容するケーシング５６を上下動する読取部駆動モータ８８Ｍ；  ケーシング５６（すなわち読取部３０）の位置を検出する読取部位置センサ８８Ｓ；  レンズユニット６４を上下動するレンズ駆動モータ９０Ｍ；  レンズユニット６４の位置を検出するレンズ位置センサ９０Ｓ、レンズ絞り６６を調整するレンズ絞り駆動モータ９２Ｍ；  レンズ絞り６６の位置（絞り量）を検出するレンズ絞り位置センサ９２Ｓ；  シャッタ７０を全閉もしくは全開状態に切り換えるシャッタ駆動モータ９４Ｍ；  が接続されている。


【手続補正４】
【補正対象書類名】明細書
【補正対象項目名】００４４
【補正方法】変更
【補正の内容】
【００４４】
条件設定部１１０は、画像の検定を行う場合には、処理条件を設定すると、設定した処理条件および画像データをパーソナルコンピュータ１１２に出力する。この画像はパーソナルコンピュータ１１２に接続されたディスプレイ２６にシミュレーション画像として表示される。前述のように、図示例においては、シミュレーション画像の表示や検定は、６コマを一つの単位として、画像読取と同じ順番で行われる。
また、オペレータの指示等に応じて処理条件が確定すると、条件設定部１１０は、確定した処理条件を画像処理部１０８の処理部１２６へ出力する。


【手続補正５】
【補正対象書類名】明細書
【補正対象項目名】００４６
【補正方法】変更
【補正の内容】
【００４６】
前述のように、検定を行う場合には、条件設定部１１０が処理条件を設定すると、画像データおよび設定した処理条件をＰＣ１１２に出力する。
ＰＣ１１２では、各コマの画像データを対応する処理条件で処理し、シミュレーション画像としてディスプレイ２６に表示する。
オペレータによる検定では、画像調整の指示は、主にキーボード２４ａの調整キー、例えば、濃度調整キー、色調整キー、γ（階調）調整キー、シャープネス調整キー等を用いて入力される。ＰＣ１１２では、この調整指示に応じて処理条件を調整（変更）して、ディスプレイ２６のシミュレーション画像をこれに応じて変更し、また、画像調整の指示の情報を条件設定部１１０に供給する。条件設定部１１０においても、この調整指示に応じて、処理条件を調整する。


【手続補正６】
【補正対象書類名】明細書
【補正対象項目名】００５１
【補正方法】変更
【補正の内容】
【００５１】
入力装置１６がプリント作成に対応する所定状態となり、かつキャリア５４がフィルムＦの装着を確認すると、スキャナ１２が画像読取に入り、マイクロプロセッサ７２によって、予め定められている読取条件に応じて、可変絞り４８の絞り値、イメージセンサ６８の各ラインＣＣＤセンサの蓄積時間が設定される。
なお、読取条件には特に限定はなく、例えば、イメージセンサ６８のダイナミックレンジ等に応じて、フィルムＦに通常撮影される画像が適正に読み取れる条件を設定すればよい。
同時に、フィルムＦの種類やプリントサイズ等に応じて、ケーシング５６およびレンズユニット６４を上下動して、倍率調整等が行われる。


【手続補正７】
【補正対象書類名】明細書
【補正対象項目名】００５３
【補正方法】変更
【補正の内容】
【００５３】
また、画像読取（フィルムＦの走査搬送）と平行して、キャリア５４によってフィルムＦに記録されたＤＸコード等が読み取られ、新写真システムの場合には、さらにフィルムＦに記録された磁気情報が読み取られる。これらは、適宜、画像処理装置１４に送られ、フィルム種やコマ番号等のフィルム情報が検出される。


【手続補正８】
【補正対象書類名】明細書
【補正対象項目名】００５６
【補正方法】変更
【補正の内容】
【００５６】
オペレータによる検定を行う際には、画像データとその処理条件が、順次、条件設定部１１０からＰＣ１１２に送られる。
ＰＣ１１２においては、送られた画像データを、必要に応じて間引いて、対応する処理条件に応じて処理して、処理済の画像をプリントに再現する画像のシミュレーション画像として、ディスプレイ２６に表示する。
ここで、入力装置１６においては、検定は６コマを１つの単位として行われ、１コマ目〜６コマ目の処理条件が設定されると、そのシミュレーション画像がディスプレイに表示される。


【手続補正９】
【補正対象書類名】明細書
【補正対象項目名】００５７
【補正方法】変更
【補正の内容】
【００５７】
なお、本発明の読取方法において、１つの単位となるコマ数は６コマに限定されず、ディスプレイ２６のサイズや解像度等に応じて、好ましくは複数を適宜設定すればよい。
また、１つの単位となるコマ数は、フィルム種（例えば、通常のフィルムと新写真システム等）に応じて異なるコマ数を設定してもよく、オペレータが所定範囲のコマ数内で適宜選択可能にしてもよい。さらに、例えば、最後の１回の単位のみ１コマ増やす等、撮影コマ数等に応じて、１本のフィルムＦの中で１つの単位となるコマ数を異なるものとしてもよい。あるいは、新写真システムのシーン情報等を利用して、表示されない次のコマが同じシーンの場合には、そのコマのみ追加してシミュレーション画像を表示してもよい。


【手続補正１０】
【補正対象書類名】明細書
【補正対象項目名】００５８
【補正方法】変更
【補正の内容】
【００５８】
オペレータは、ディスプレイ２６に表示されたシミュレーション画像を見て、順次検定を行い、必要に応じて、キーボード２４ａの調整キー等用いて、各コマ毎に画像調整を行う。これに応じて、先に設定された処理条件が調整（補正）され、同時にディスプレイ２６に表示されたシミュレーション画像も変化する。
オペレータは、そのコマの画像が適正（検定ＯＫ）であると判断すると、そのコマの検定終了の指示を出し、次のコマの検定を行う。
なお、シミュレーション画像の表示および検定は、コマ毎の処理条件の設定に応じて、順次、行ってもよい。


【手続補正１１】
【補正対象書類名】明細書
【補正対象項目名】００５９
【補正方法】変更
【補正の内容】
【００５９】
ディスプレイ２６に表示された最後のコマである６コマ目の検定を終了すると、オペレータがこの６コマの検定終了の指示を出す。これにより、１コマ目〜６コマ目の処理条件が確定し、各コマの位置および処理条件が画像処理部１０８の処理部１２６に送られる。あるいは、６コマ目の検定終了の指示を、この６コマの検定終了の指示としてもよい。
また、このプリント開始の指示と同時に、ディスプレイ２６には、条件設定部１１０による処理条件の設定に応じて、７コマ目〜１２コマ目のシミュレーション画像が表示される。オペレータは、同様にして検定を行い、表示された６コマの検定を終了した時点で、この６コマの検定終了の指示を出し、これに応じて、これらのコマの処理条件が確定して所定部位に転送され、以下同様に、最終コマまで検定が行われ、フィルムＦの全コマの検定が終了する。


【手続補正１２】
【補正対象書類名】明細書
【補正対象項目名】００６３
【補正方法】変更
【補正の内容】
【００６３】
なお、本発明の読取方法を実施する入力装置１６においては、オペレータによる検定が必ず行われるのに限定はされず、検定を行わずにプリントを作成してもよい。この際には、条件設定部１１０が処理条件を設定した時点で処理条件が確定し、所定コマ数の処理条件が確定した時点で、順次、フレームメモリ１２８から画像データを読み出し、画像処理して出力する。検定を行わない場合には、ディスプレイ２６のシミュレーション画像の表示は行わなくてもよい。
検定の有無は、作業モードとして選択できるように構成するのが好ましい。


【手続補正１３】
【補正対象書類名】明細書
【補正対象項目名】００６４
【補正方法】変更
【補正の内容】
【００６４】
また、以上の例では、同時プリント等で全コマの画像読取を行っているが、焼き増し等で、フィルムＦ（ネガピース）の一部のコマみのプリントを作成する際には、全コマの画像読取を行ってシミュレーション画像をディスプレイに表示し、オペレータが指定したコマのみを出力してもよく、あるいは、オペレータが読み取るコマを予め指定しておき、そのコマのみ画像読取を行ってもよい。